【手続補正書】
【提出日】平成29年5月9日(2017.5.9)
【手続補正１】
【補正対象書類名】特許請求の範囲
【補正対象項目名】全文
【補正方法】変更
【補正の内容】
【特許請求の範囲】
【請求項１】
進化型ノードＢ、ｅＮＢ、によるワイヤレス通信のための方法において、
より大きな数のアンテナエレメントをより小さな数のアンテナポートに圧縮するポートプリコーディング行列を発生させることと、
前記ポートプリコーディング行列を使用して、ユーザ機器ＵＥ特有ポート基準信号をＵＥに送信することと、
前記ＵＥ特有ポート基準信号に基づいて前記ＵＥによって測定された、チャネル状態情報ＣＳＩに関するフィードバックを受信することと、
前記ＣＳＩに関するフィードバックに基づいて、複数のデータレイヤをＵＥ特有アンテナポートにマッピングすることと、
前記ＵＥ特有アンテナポートの各々を物理アンテナエレメントにマッピングすることと、
前記複数のデータレイヤのマッピングと、前記物理アンテナエレメントへのアンテナポートのマッピングとに基づいて、データを前記ＵＥに送信することとを含む方法。
【請求項２】
前記ポートプリコーディング行列は、アップリンクチャネル推定に基づいて発生される請求項１記載の方法。
【請求項３】
前記物理アンテナエレメントは、多次元アレイで配列されている請求項１記載の方法。
【請求項４】
パイロットシーケンスをＵＥ特有アンテナポートにマッピングすることをさらに含む請求項１記載の方法。
【請求項５】
前記アンテナエレメントのサブアレイパーティションに関する情報を、前記ＵＥに送信することをさらに含む請求項１記載の方法。
【請求項６】
前記情報は、サブアレイパーティションのタイプ、アンテナポートの構造、または、アンテナポートの数、のうちの少なくとも１つを含む請求項５記載の方法。
【請求項７】
複数のタイプのサブアレイパーティションと、関係するコードブックとをサポートする、ＵＥの能力にしたがって、ＵＥは複数のカテゴリに分割される請求項１記載の方法。
【請求項８】
あるタイプのＵＥは、他のタイプのＵＥよりも、少ないタイプのサブアレイパーティションをサポートするかもしれない請求項７記載の方法。
【請求項９】
ユーザ機器ＵＥによるワイヤレス通信のための方法において、
より大きな数のアンテナエレメントをより小さな数のアンテナポートに圧縮するロングタームポートプリコーディング行列を使用して進化型ノードＢ、ｅＮＢ、によって送信された、ＵＥ特有ポート基準信号を受信することと、
前記ＵＥ特有ポート基準信号に基づいて、ショートタームＣＳＩを測定および量子化することと、
前記量子化したショートタームＣＳＩに関するフィードバックを、前記ｅＮＢに送信することとを含む方法。
【請求項１０】
前記フィードバックは、好ましい行列インジケータＰＭＩとランク表示ＲＩとのうちの少なくとも１つを含む、量子化されたフィードバックを含む請求項１または９記載の方法。
【請求項１１】
前記量子化されたフィードバックは、予め規定されたコードブックから選択される請求項１０記載の方法。
【請求項１２】
前記アンテナエレメントのサブアレイパーティションに関する情報を受信することと、
前記情報に基づいて、複数の予め規定されたコードブックから１つを選択することと、
前記選択したコードブックを使用して、前記フィードバックを報告することとをさらに含む請求項９記載の方法。
【請求項１３】
進化型ノードＢ、ｅＮＢ、によるワイヤレス通信のための装置において、
より大きな数のアンテナエレメントをより小さな数のアンテナポートに圧縮するポートプリコーディング行列を発生させる手段と、
前記ポートプリコーディング行列を使用して、ユーザ機器ＵＥ特有ポート基準信号をＵＥに送信する手段と、
前記ＵＥ特有ポート基準信号に基づいて前記ＵＥによって測定された、チャネル状態情報ＣＳＩに関するフィードバックを受信する手段と、
前記ＣＳＩに関するフィードバックに基づいて、複数のデータレイヤをＵＥ特有アンテナポートにマッピングする手段と、
前記ＵＥ特有アンテナポートの各々を物理アンテナエレメントにマッピングする手段と、
前記複数のデータレイヤのマッピングと、前記物理アンテナエレメントへのアンテナポートのマッピングとに基づいて、データを前記ＵＥに送信する手段とを具備する装置。
【請求項１４】
ユーザ機器ＵＥにおけるワイヤレス通信のための装置において、
より大きな数のアンテナエレメントをより小さな数のアンテナポートに圧縮するロングタームポートプリコーディング行列を使用して進化型ノードＢ、ｅＮＢ、によって送信された、ＵＥ特有ポート基準信号を受信する手段と、
前記ＵＥ特有ポート基準信号に基づいて、ショートタームＣＳＩを測定および量子化する手段と、
前記量子化したショートタームＣＳＩに関するフィードバックを、前記ｅＮＢに送信する手段とを具備する装置。
【請求項１５】
コンピュータ読取可能媒体において、
請求項１〜１２のうちのいずれかの方法を実行するための、その上に記憶したプログラムコードを有するコンピュータ読取可能媒体。
【請求項１６】
ワイヤレス通信の方法において、
進化型ノードＢ、ｅＮＢ、において、複数のユーザ機器ＵＥからのフィードバックを受信することと、
前記ｅＮＢによって、前記複数のＵＥの間の相関を決定することと、
前記ｅＮＢによって、前記相関に基づいて、１つ以上のＵＥクラスターを構成することと、
前記ｅＮＢによって、前記１つ以上のＵＥクラスターの各ＵＥクラスターに対して、垂直セクタを動的に構成することと、
前記ｅＮＢによって、前記１つ以上のＵＥクラスターの各ＵＥクラスターに対して、前記垂直セクタに対応するエレベーションビームを形成することとを含み、
前記１つ以上のＵＥクラスターの各々は、予め定められたしきい値内の相関を有する、前記複数のＵＥのうちの２つ以上のＵＥを含む方法。
【手続補正２】
【補正対象書類名】明細書
【補正対象項目名】０１４４
【補正方法】変更
【補正の内容】
【０１４４】
［００１７０］
先の説明は、任意の当業者が、ここで記述したさまざまな態様を実施できるように提供している。これらの態様に対するさまざまな修正は、当業者に容易に明白となり、ここで規定した一般的な原理を、他の態様に適用してもよい。したがって、特許請求の範囲は、ここで示した態様に限定されることを意図するものではなく、特許請求の範囲の文言と矛盾しない全範囲を与えられるべきである。エレメントへの単数での言及は、“１つおよび１つのみ”と特に述べられていない限り、“１つおよび１つのみ”を意味することを意図しているのではなく、むしろ“１つ以上”を意味することを意図している。そうでないことが特に述べられていない限り、用語“いくつか”は、１つ以上のことを指している。当業者に知られ、または後に知られることになる、本開示全体を通して記述したさまざまな態様のエレメントに対するすべての構造的および機能的な均等物は、参照によってここで明確に組み込まれ、特許請求の範囲によって含まれることを意図している。さらに、ここで開示したものは、このような開示が特許請求の範囲中に明示的に記載されているか否かにかかわらず、公共に捧げられることを意図していない。どの請求項のエレメントも、エレメントがフレーズ“する手段”を使用して明確に記載されていない限り、または、方法の請求項のケースでは、エレメントがフレーズ“するステップ”を使用して記載されていない限り、米国特許法第１１２条第６パラグラフの規定の下で解釈すべきではない。
以下に、本願出願の当初の特許請求の範囲に記載された発明を付記する。
［１］  進化型ノードＢ（ｅＮＢ）によるワイヤレス通信のための方法において、
より大きな数のアンテナエレメントをより小さな数のアンテナポートに圧縮するポートプリコーディング行列を発生させることと、
前記ポートプリコーディング行列を使用して、ユーザ機器（ＵＥ）特有ポート基準信号をＵＥに送信することと、
前記ＵＥ特有ポート基準信号に基づいて前記ＵＥによって測定された、チャネル状態情報（ＣＳＩ）に関するフィードバックを受信することと、
前記ＣＳＩに関するフィードバックに基づいて、複数のデータレイヤをＵＥ特有アンテナポートにマッピングすることと、
前記ＵＥ特有アンテナポートの各々を物理アンテナエレメントにマッピングすることと、
前記複数のデータレイヤのマッピングと、前記物理アンテナエレメントへのアンテナポートのマッピングとに基づいて、データを前記ＵＥに送信することとを含む方法。
［２］  前記ポートプリコーディング行列は、アップリンクチャネル推定に基づいて発生される［１］記載の方法。
［３］  前記物理アンテナエレメントは、多次元アレイで配列されている［１］記載の方法。
［４］  パイロットシーケンスをＵＥ特有アンテナポートにマッピングすることをさらに含む［１］記載の方法。
［５］  前記フィードバックは、好ましい行列インジケータ（ＰＭＩ）とランク表示（ＲＩ）とのうちの少なくとも１つを含む、量子化されたフィードバックを含む［１］記載の方法。
［６］  前記量子化されたフィードバックは、予め規定されたコードブックから選択される［５］記載の方法。
［７］  前記アンテナエレメントのサブアレイパーティションに関する情報を、前記ＵＥに送信することをさらに含む［１］記載の方法。
［８］  前記情報は、サブアレイパーティションのタイプ、アンテナポートの構造、または、アンテナポートの数、のうちの少なくとも１つを含む［７］記載の方法。
［９］  複数のタイプのサブアレイパーティションと、関係するコードブックとをサポートする、ＵＥの能力にしたがって、ＵＥは複数のカテゴリに分割される［１］記載の方法。
［１０］  あるタイプのＵＥは、他のタイプのＵＥよりも、少ないタイプのサブアレイパーティションをサポートするかもしれない［９］記載の方法。
［１１］  ユーザ機器（ＵＥ）によるワイヤレス通信のための方法において、
より大きな数のアンテナエレメントをより小さな数のアンテナポートに圧縮するロングタームポートプリコーディング行列を使用して進化型ノードＢ（ｅＮＢ）によって送信された、ＵＥ特有ポート基準信号を受信することと、
前記ＵＥ特有ポート基準信号に基づいて、ショートタームＣＳＩを測定および量子化することと、
前記量子化したショートタームＣＳＩに関するフィードバックを、前記ｅＮＢに送信することとを含む方法。
［１２］  前記フィードバックは、好ましい行列インジケータ（ＰＭＩ）とランク表示（ＲＩ）とのうちの少なくとも１つを含む、量子化されたフィードバックを含む［１１］記載の方法。
［１３］  前記量子化されたフィードバックは、予め規定されたコードブックから選択される［１２］記載の方法。
［１４］  前記アンテナエレメントのサブアレイパーティションに関する情報を受信することをさらに含む［１１］記載の方法。
［１５］  前記情報は、サブアレイパーティションのタイプと、アンテナポートの構造と、アンテナポートの数とのうちの少なくとも１つを含む［１４］記載の方法。
［１６］  前記情報に基づいて、複数の予め規定されたコードブックから１つを選択することと、
前記選択したコードブックを使用して、前記フィードバックを報告することとをさらに含む［１４］記載の方法。
［１７］  ワイヤレス通信の方法において、
進化型ノードＢ（ｅＮＢ）において、複数のユーザ機器（ＵＥ）からのフィードバックを受信することと、
前記ｅＮＢによって、前記複数のＵＥの間の相関を決定することと、
前記ｅＮＢによって、前記相関に基づいて、１つ以上のＵＥクラスターを構成することと、
前記ｅＮＢによって、前記１つ以上のＵＥクラスターの各ＵＥクラスターに対して、垂直セクタを動的に構成することと、
前記ｅＮＢによって、前記１つ以上のＵＥクラスターの各ＵＥクラスターに対して、前記垂直セクタに対応するエレベーションビームを形成することとを含み、
前記１つ以上のＵＥクラスターの各々は、予め定められたしきい値内の相関を有する、前記複数のＵＥのうちの２つ以上のＵＥを含む方法。
［１８］  前記１つ以上のＵＥクラスターの各々における前記２つ以上のＵＥに対して、前記エレベーションビームを送信することをさらに含む［１７］記載の方法。
［１９］  チャネル品質情報基準信号を前記複数のＵＥに送信することをさらに含む［１７］記載の方法。
［２０］  前記ｅＮＢにおいて、２次元アンテナアレイを利用することをさらに含む［１７］記載の方法。
［２１］  前記受信したフィードバックは、プリコーディング行列インジケータ（ＰＭＩ）と、チャネル固有ベクトルと、好ましいビームのインデックスとのうちの１つ以上を含む［１７］記載の方法。
［２２］  前記ＰＭＩと前記チャネル固有ベクトルとのうちの１つまたは両方は、物理アップリンク制御チャネルと物理アップリンク共有チャネルとのうちの１つ以上から、前記ｅＮＢにおいて受信される［２１］記載の方法。
［２３］  前記複数のＵＥの間の相関を決定することは、
前記複数のＵＥの各ＵＥの好ましいビームの分布を解析することと、
少なくとも類似する好ましいビームを有する２つ以上のＵＥをグループ化して、前記１つ以上のＵＥクラスターの各々を形成することとを含む［１７］記載の方法。
［２４］  各エレベーションビームは、他のエレベーションビームに直交する［１７］記載の方法。
［２５］  前記複数のＵＥの間の相関を決定することは、エレベーションドメインにおいて、前記複数のＵＥのうちのＵＥの各ペアに対して、ペア相関を算出することを含む［１７］記載の方法。
［２６］  ＵＥの各ペアのすべての組み合わせの前記ペア相関の値は、
Ｃｉ，ｊ＝（ｈｉ）Ｈｈｊ；０＜ｉ，ｊ≦Ｎ
にしたがって示され、
Ｃｉ，ｊは、ＵＥｉとＵＥｊのペア間のチャネル類似性を示す行列であり、
ｈｉは、ＵＥｉのランク１ＰＭＩまたはチャネル固有ベクトルのうちの１つであり、
ｈｊは、ＵＥｊのランク１ＰＭＩまたはチャネル固有ベクトルのうちの１つであり、
Ｎは、前記複数のＵＥの総数である［２５］記載の方法。
［２７］  前記ペア相関の値を第１の予め定められたしきい値と比較し、前記第１の予め定められたしきい値は、前記ＵＥのペアが互いに相関することを示す、相関の最小値であることと、
互いに相関するＵＥの数を算出し、前記数を第２の予め定められたしきい値と比較し、前記第２の予め定められたしきい値は、前記１つ以上のＵＥクラスターの各々を形成するための、ＵＥの最小数であることと、
前記相関するＵＥの数が、前記第２の予め定められたしきい値と少なくとも同一であるときに、互いに相関する前記２つ以上のＵＥをグループ化して、前記１つ以上のＵＥクラスターの各々を形成することとをさらに含む［２５］記載の方法。
［２８］  前記ＵＥの数の各ＵＥは、前記１つ以上のＵＥクラスターのうちの１つのＵＥクラスターに割当てられる［２７］記載の方法。
［２９］  各垂直セクタは、複合チャネルの主固有ベクトルに等しいビーム形成重みを有しており、
前記複合チャネルは、前記１つ以上のＵＥクラスターの各々における前記２つ以上のＵＥからの、エレベーションドメインにおける前記フィードバックに基づいて形成される［１７］記載の方法。
［３０］  前記複数のＵＥのうちのＵＥからの、エレベーションドメインにおける前記フィードバックに基づいて、ＵＥ特有エレベーションビームを形成することをさらに含む［１７］記載の方法。
［３１］  前記垂直セクタの前記エレベーションビームと前記ＵＥ特有エレベーションビームとの間の干渉を緩和させることをさらに含む［３０］記載の方法。
［３２］  前記干渉を緩和させることは、ゼロフォーシング法とブロック対角化法とのうちの１つまたは両方により、前記ＵＥ特有エレベーションビームを形成することを含む［３１］記載の方法。
［３３］  周期的なスーパーフレームの時間期間の間、前記エレベーションビームは変化しないままである［１７］記載の方法。
［３４］  前記１つ以上のＵＥクラスターに関係する１つ以上のＵＥがエレベーションドメインにおいて移動するときに、前記１つ以上のＵＥクラスターの構成は変化する［１７］記載の方法。
［３５］  前記エレベーションビームは、時間多重化方式と周波数多重化方式とのうちの１つ以上によって送信される［１７］記載の方法。